【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
二つのカップを有する前部分と、その二つのカップの間に配置された中央部分と、背部分と、前部分と背部分を結合している二つのサイド部分と、乳房下の胸部の周りに適合するバンドと、背部分から伸びていて、かつ前部分の、二層布帛から全体または一部が形成されている各カップに連結された一対の肩紐とを備えた授乳時の使用に好適なブラジャーであって、
前記ブラジャーは、一片の円形に編製された布帛から縫い目なしに製作されていて、各カップの直ぐ上方の位置或いは各カップの上縁に第一止め金具が設けられ、
第一止め金具は肩紐上の対応する第二止め金具と取り外し自在に共働し、かつ
前記第二止め金具は肩紐を内カップ層に連結していることを特徴とするブラジャー。
【請求項２】
第一止め金具は受け部材であり、第二止め金具はフック部材であることを特徴とする請求項１に記載のブラジャー。
【請求項３】
第一止め金具はフック部材であり、第二止め金具は受け部材であることを特徴とする請求項１に記載のブラジャー。
【請求項４】
内カップ層は、乳房の外側及び下を支える完全なカップの一部分として形成されていることを特徴とする請求項１〜３のいずれか一項に記載のブラジャー。
【請求項５】
内カップ層は、乳房の内側及び下を支える完全なカップの一部分として形成されていることを特徴とする請求項１〜３のいずれか一項に記載のブラジャー。
【請求項６】
内カップ層は、完全なカップの一部分として、かつ一方が乳房の外側及び下を支え、他方が乳房の内側及び下を支える二つの部分として形成されていることを特徴とする請求項１〜３のいずれか一項に記載のブラジャー。
【請求項７】
内カップ層は、乳首を取り囲むために中央に穴を有する完全なカップとして形成されていることを特徴とする請求項１〜３のいずれか一項に記載のブラジャー。
【請求項８】
二つのカップとその間に中央部分を有する前部分と、背部分と、前部分及び背部分を結合している二つのサイド部分と、乳房下の胸部の周りに適合するバンドと、背部分から伸びていて、かつ前部分の、二層布帛から完全にまたは部分的に形成されている、各カップに結合されている一対の肩紐とを備えた授乳時の使用に好適なブラジャーであって、
前記ブラジャーは一片の円形に編製された布帛から縫い目なしに製作され、
各カップの直ぐ上方の位置或いは各カップの上縁に第一止め金具が設けられ、第一止め金具は肩紐上の対応する第二止め金具と取り外し自在に共働し、かつ
前記中央部分の上縁に、二つの肩紐上の他方の止め金具の一つと取り外し自在に共働する中央紐が設けられていることを特徴とするブラジャー。
【請求項９】
第一止め金具は受け部材であり、第二止め金具はフック部材であり、かつ、前記中央紐は受け部材を有することを特徴とする請求項８に記載のブラジャー。
【請求項１０】
二つのカップとその間に中央部分を有する前部分と、背部分と、前部分及び背部分を結合している二つのサイド部分と、乳房下の胸部の周りに適合するバンドと、背部分から伸びていて、前部分の、二層布帛から完全または部分的に形成された、各カップに結合されている一対の肩紐とを備えた授乳時の使用に好適なブラジャーであって、
内カップ層を伴わないブラジャーが一片の布帛から縫い目なしで製作され、
前記ブラジャーの内層が一片または複数片の布帛から製作され、
各カップの直ぐ上方の位置或いは各カップの上縁に第一止め金具が設けられ、第一止め金具は肩紐上の対応する第二止め金具と取り外し自在に共働し、かつ
第二止め金具は前記肩紐を前記内カップ層に連結していることを特徴とするブラジャー。
【請求項１１】
前記内カップ層は、前記ブラジャーの縁および／又はサイド部分に完全または部分的に固定されていることを特徴とする請求項１０に記載のブラジャー。
【手続補正２】
【補正対象書類名】明細書
【補正対象項目名】全文
【補正方法】変更
【補正の内容】
【発明の詳細な説明】
【発明の名称】特に授乳の際に使用するブラジャー
【技術分野】
【０００１】
本発明は、中央部分がその二つのカップの間に配置されている二つのカップからなる前部分と、背部分と、前部分及び背部分に結合している二つのサイド部分と、乳房の下の胸部を囲んで体にぴったりと適合するバンドと、背部分から伸長し、かつ前部分の、二層の布帛から完全に或いは部分的に形成されている、各々のカップに結合された一対の肩紐とを備えた授乳時の使用に好適なブラジャーに関する。
【背景技術】
【０００２】
女性が胸を露出するために以下の一つを行わなければならないように設計されていることがしばしばであるので、子供に授乳する女性にとって、従来からのブラジャーを使用することは問題を生じる。
―胸の上側にカップを位置させるようにカップを胸の上に持ち上げる、これは、カップが胸の組織を抑圧し押し付け/締め付ける原因となり、乳の供給を止めてしまう原因となる。
―ブラジャーが緩く胸を露出することが可能なのでブラジャーを開ける。しかしながら、これは、授乳をしていないときの胸をブラジャーで支えることができないこととなり、女性が同時に片手でブラジャーを開けたり/閉じたりしている間は子供を抱いていることを困難にしてしまう。
―肩紐を肩から引き降ろす、これは、女性が衣服の一部を脱ぐということを意味する。いくつかの状況においては、子供への授乳のために衣服を脱ぐということは女性にとって望まれないであろう。
【０００３】
さらにまた、既存の従来からのブラジャーのいくつかは、特に授乳女性用に設計されている。授乳用ブラジャーは、その後に一緒に縫い合わされることとなる明らかにたくさんの異なる布片から作られている。ブラジャーを一緒に縫う際にはたくさんの縫い目が提供される。これらの縫い目は、胸が既に強く張って痛いので子供たちに授乳させる女性をいらいらさせることとなる。これらの女性は、胸の組織を抑圧し押し付けるたくさんの縫い目のあるブラジャーを利用する際にはこのようにある種の不快感を感じるであろう。
【０００４】
米国特許第６、２８７、１６８号には、いかにして実質上縫い目のないブラジャーが円形の編まれた管状布帛から作られているかそしてブラジャーが単一層か或いは二層にされた布帛のいずれかからいかにして作られるかが開示されている。説明されているタイプのブラジャーは前側をあけることができないので、授乳の際の利用には適切ではない。それは肩紐の長さの調節を可能にしているのみであり、女性が、胸を露出するために、カップを胸の上まで引っ張り上げるか胸の下まで引き下げるか、肩紐を肩まで引き下げるかブラジャーを緩くするかをしなければ女性の授乳を支援することはない。
【発明の開示】
【０００５】
［発明の概要］
それゆえ、本発明の目的は、着心地の良い、そして授乳する女性にとって一方の胸をいつでも簡便に露出できる縫い目無しブラジャーを提供することである。
上記課題は、円形の編まれた布帛片から縫い目なしに製作されるブラジャーであって、各カップの直ぐ上の位置又は各カップの上縁において、肩紐上の対応する第二止め金具と簡単に解除可能な方法で、即ち取り外し自在に共働する第一止め金具を有し、第二止め金具は内カップ層に肩紐を結合することを特徴とするブラジャーにより達成される。
【０００６】
以下に、女性がブラジャーを子供に授乳するために使用するものとして説明されている、しかし、本発明は、例えば以下のような他の状況にも同様に適用できる。
―授乳する層がブラジャーの内カップと外カップとの間に固定されることができる授乳期間中、
―女性の乳房の大きさが増大し、時々痛くなり張ってくるようになって以来、特に伸縮性のあるブラジャーを使うのが便利になる妊娠中、
―人工乳房をつけるために二重層のカップのブラジャーが使用される乳房手術後、
―種々の包帯が二つの層の間につけられるように、二重層のカップのブラジャーが使用される包帯使用のために。
【０００７】
女性にとって身に付けていて気持ちよく、かつ、授乳する女性にとって時々片方の乳房を露出するのに簡単であるブラジャーを製作するために、本発明にかかるブラジャーは、むしろ授乳時に使用するために、二つのカップを有する前部分と、その二つのカップの間に配置される中央部分と、背部分と、前部分と後ろ部分に結合している二つのサイド部分と、乳房の下の胸部を心地よく囲んでぴったりと適合するバンドと、背部分から伸びていて前部分の各カップに連結された一対の肩紐とを備えており、そのカップは完全に或いは部分的に二重層の布帛で作られていて、そのブラジャーは円形に編まれ、即ち、編製された布帛片から縫い目なしに製作されており、各カップのすぐ上か或いは上縁には、簡単に解除可能な方法で肩紐上の対応する第二止め金具と共働する第一止め金具を有し、第二止め金具は内カップ層に肩紐を連結するブラジャーとして提供されている。
【０００８】
このブラジャーの実施形態は、張って痛みのある乳房を刺激する縫い目がないので縫い目なしのデザインが着ていて心地よいという理由で、子供に授乳する女性がブラジャーを使用することを可能にしている。
【０００９】
二つの止め金具の設計の理由で、肩紐は、ブラジャーがブラジャーとして単独で使用される際には、ブラジャーの内カップと外カップの両方に結合されている。止め金具は、女性がブラジャーを緩めなければならない或いは肩から肩紐を引き降ろさねばならないさらには乳房を越えてカップを引き上げなければならないかの何れかに際して生じる種々な問題を経験することなしに一つ或いは両方の乳房を露出するためにブラジャーの外カップを緩めるか外カップを引き下げることを女性のために簡単にしている。
【００１０】
肩紐がブラジャーの内カップに結合されているので、ブラジャーの外カップを引き下げることは、肩紐を背部に見えなくしてしまうとか、ブラジャーを緩く感じるとか、もう一つの乳房に関するブラジャーの支持効果が消滅してしまうようなことにはならない。
【００１１】
女性はまず露出した乳房のところに子供を位置付け、授乳を実行し、その後に、彼女は、彼女がブラジャーの外カップを再び他方の手で引き上げ、肩紐の一つにそれを固定し、そして、おそらくブラジャーの他方の外カップを他の肩紐の固定から解き、ブラジャーの二番目の外カップを引き下げて、子供を他方の乳房に位置付ける間ずっと、一方の手又は腕で子供を抱いていることができる。
【００１２】
このブラジャーは、円形に編まれた管状布帛から作成され、縫い目がないように組立てられているので、ブラジャーは原則として二層の布帛で提供されている。ブラジャーの望まれる形状を達成するために、二層の一方から材料が除去され、代表例としては、内層からある材料が除去される。
【００１３】
円形の編製布帛でブラジャーを作成することにより、さらにまた、一片の布帛で縫い目なしのブラジャーを作成することができ、かつ円形編製管状布帛の製造において、ブラジャーの異なる部品が異なる機能を達成することが考慮されねばならない。
【００１４】
カップは、周囲布帛領域より緩い編製構造により円形の編製管状布帛上に膨らみとして編まれる。このことは、カップを伸縮性のある心地よいものにし、望ましい位置に乳房を取り囲みかつ維持することができる。
【００１５】
二つのカップ間の中央部分は、カップそれ自体よりも短くかつ/又は伸縮性の小さい布帛片から作成されなければならない。これは、中央部分がカップを形成する材料を引き締めかつ前部分の前で材料を結合し、そのようにして、二つのカップの形成及びカップの形の維持を補助していることを意味する。もし中央部分がより短い及び/又はより伸縮性の少ない材料で作成されていなければ、同時に両方の乳房を支えるという二つのカップの作用は達成されず、一つのカップのみが支持されるであろう。
【００１６】
ブラジャーの背部分は、一定のデザイン又はロゴが見られるように、編み構造を変更することにより/又は編む際に異なる糸を使用することによっていろいろな設計で製作されることができる。
【００１７】
さらにまた、特別の背面支持効果を有するブラジャーが作成されることができる。背部分の特別の領域から大きな支持効果を達成するために、背部分を作る円形に編製管状体の部分の製造時に編製構造を変化させる。同様のことが、前部分と背部分を結合するサイド部分にも適用される。ここでも、同様に、望まれるデザイン或いは支持効果の理由で、変更された編み構造を変化させた領域を設けることを可能にする。
【００１８】
ブラジャーの縁部分は、ブラジャーのデザインや用途によって、畝模様がつけられる、滑らかに作成される、又は様々に作成されてよい伸縮性材料から作成される。しかしながら、最も重要なことは、ブラジャーが体にぴったり合い且つ乳房を支えるのに役立つように、ブラジャーが乳房の丁度下の領域における胸部を囲んで心地よく適合することである。ブラジャーは円形に編まれた管状布帛から作成されているので、このことは、また、縁部分がバンドとして作成されることを意味し、このことは更にブラジャーが設置される胸の周りで頭部から下に達することを意味する。
【００１９】
他の実施形態において、ブラジャーが、一般に知られているブラジャーのように、後ろ側または両カップの間で閉じることができるように、ブラジャーは垂直の閉鎖装置を有していてよい。このことは、背部分または前部分が異なるデザインを有するか、または、幾種類かの止め金具装置或いは非常に大きな止め金具装置である閉鎖装置が使用されることを要求する。
【００２０】
本発明に係るブラジャーは、代表的には、次の繊維タイプの一つ或いはそれ以上から作られている糸で編まれている。即ち、エラスタン、ポリアミド、ポリエステル、コットン、ウール、及び/又はシルク。エラスタンは伸縮性効果を有する編製布帛を提供する。
【００２１】
糸は、マイクロファイバー質或いは通常のファイバー太さであってよい。もし、ブラジャーがマイクロファイバーから編まれた布帛で提供される場合は、ブラジャーは、着用する女性の心地良さを増大する自然のしなやかさを持つでしょう。
【００２２】
止め金具部材は、通常は、プラスチック材料或いは合金で作られ、ブラジャーに調和するように着色されかつ/又は塗装され、或いはブラジャーの色に関連して装飾的に強調されるように着色される。しかしながら、止め金具部材は、また、ブラジャーが作られる布帛と共に着色できるように、ポリアミド、ポリエステル或いは同種のものから作成されることができる。
【００２３】
女性が子供に授乳する際にカップを解放するために、ブラジャーは止め金具装置を有し、止め金具は第一、第二止め金具を備え、第一止め金具は受け部材でありかつ第二止め金具はフック部材である。選択的に、第一止め金具がフック部材であり、第二止め金具が受け部材である。両方の具体例のために、二つの止め金具が、相互に一致し、係合して閉鎖するように形成される。これらの止め金具は、ブラジャーを所定位置に保持すると同時に女性の片手のみによるカップの解放と固定を可能にする。このことは、同時に女性が子供を抱いている場合に非常に有利である。
【００２４】
最初の実施形態において、受け部材（ｅｙｅ  ｅｌｅｍｅｎｔ）は、ブラジャーの外カップの布帛上縁内の開口によって提供される。このことは、肩紐がフック部材を有することを要求する。この逆の例として、受け部材が肩紐内の開口によって提供される。このことは、フック部材がブラジャーの外カップの上縁に設けられることを要求する。
【００２５】
女性の乳房が同じ形ではないまた同じ大きさではないという理由で、異なるタイプ及び大きさのブラジャーが生産されるということは当を得ており、本発明に従ってたくさんの異なるブラジャーが提供される理由である。即ち、
―最初の具体例において、内カップの層が、乳房の外側及び下側を支える完全なカップの一部分として提供される。
―二番目の具体例において、内カップの層が、乳房の内側及び下側を支える完全なカップの一部分として提供される。
―三番目の具体例において、内カップの層が、完全なカップの一部分として、そして一方の部分が乳房の外側及び下側を支え、他方の部分が乳房の内側及び下側を支える二つの部分として提供される。
―四番目の具体例において、内カップの層が、乳首を囲む孔を中央に有する完全なカップとして提供されている。
【００２６】
最初の三つの具体例において、内カップの層は、乳房の外側を支える及び/又は内側を支えるだけの完全カップの一部分として、選択的に、提供されることができる。
【００２７】
ブラジャーの内カップに関し種々の形式を備えた種々のタイプのブラジャーは、女性に対し彼女に最適なタイプの発見を可能にする。さらにまた、授乳期間中において異なるタイプのブラジャーの使用を可能にする。
【００２８】
乳房の簡単な露出を許容し且つ身に付けて心地よいブラジャーである選択的な具体的事例において、ブラジャーは、授乳時の使用に好適なブラジャーであって、二つのカップを有する前部分と、その二つのカップの間に配置された中央部分と、背部分と、前側及び背部分を結合する二つのサイド部分と、乳房の下における胸部の周りに心地よく適合するバンドと、背部分から伸び且つ前部分の各カップに連結された一対の肩紐とを含み、そして、カップは二層の布帛から完全に又は部分的に形成され、ブラジャーは円形に編まれた布帛の一片から縫い目なしに作成され、各カップの直ぐ上部又は上縁に第一止め金具が、肩紐側の対応する第二止め金具と簡単に解除可能に共働するように設けられ、且つ二つの肩紐上の他の止め金具の一つと簡単に解除可能な方法で共働する中央紐が中央部分の上縁に設けられている。
【００２９】
ブラジャーのこの具体的事例において、内カップは存在せず、そしてカップの一つが引き下げられる際に全体の乳房が露出され、乳房は、引き下げられたカップ/中央部分によって、そして乳房の下を支えるブラジャーの縁によって内側に支えられる。
【００３０】
授乳中にブラジャーを全体的にしっかりと保つために、中央紐は中央部分に取付けられ、カップを下げる際に対応する肩紐に固定される。このことは、ブラジャーが全体として保持され、そして使用されていない乳房は支持されて露出しないことを意味する。
【００３１】
中央紐を肩紐に結合するために結合部が設けられ、上記第一止め金具が受け部材であり、上記第二止め金具がフック部材であり、且つ上記中央紐は、受け部材を有し、一具体的事例において、例えば、プラスチック或いは金属製の受け部材を中央紐の固定されていない端部に結合することによって設けられることができる。
【００３２】
他の具体的事例において、中央紐は、中央紐を横切って一またはそれ以上の場所で結合された二層の布帛から形成され、複数の受け部材が形成される。さらに、この形態の中央紐は、授乳中に肩紐の長さ調節に使用できる中央紐を作成し、そのようにして、ブラジャーの最適な可能支持が達成され、且つ露出した乳房の上方の肩紐/中央紐の快適設置が達成される。
【００３３】
カップは、各カップの直ぐ上の位置または各カップの上縁に配置される止め金具により肩紐に結合される。この止め金具は、受け部材であってよく、いずれも、プラスチック/金属部分であるか、カップの上縁の布帛から作られる。このブラジャーの具体的事例は、カップの引き下げ及びカップの変更のために二本の手を必要とする。
【００３４】
このブラジャーの他の具体的事例において、肩紐のフック部材が二重にされることができ、そのようにして、最初に中央紐を第一フック部材に片手で取付け、且つ続いてカップを他のフック部材から緩めるもしくは解除することが可能となる。
【００３５】
両方の乳房を一度に露出するために、中央部分の上縁に結合されている中央紐が、受け部材またはフック部材が形成された二つの端部を有していてよい。これは、授乳中に乳房を変更する際に中央紐を左右に移動するという必要性を解消する。
【発明を実施するための最良の形態】
【００３６】
図１に示される正面図は、バンド部分２と、二つのカップ３と、中央部分４と二つの肩部分５を備えたブラジャー１を示している。各カップ３の上縁に、さらに肩紐５に連結された止め金具７に連結されている止め金具６が設けられている。この実施形態において、止め金具６は受け部材であり止め金具７はフック部材である。カップ３の背後には内カップ８の一部が見られ、内カップはフック部材７に連結されている。ブラジャーのバンド部分２は洗練された具体例としてここに示されている。
【００３７】
図２には、この実施形態においてリブを構成しているバンド部分２と、いくつかの領域に分割された背後部分９とを備えるブラジャーの背後部分が示され、布帛は異なる編み構造及び/または異なる糸で編製されている。領域９aは、背後部分における支持効果を持つ布帛を提供する編み構造で編まれる。文章またはロゴを提供するために、領域９ｂの編み構造は変化している。背後部分９は、上方へかつ外方向へ二つの肩紐５に分かれている。アーム開放部分１０にはバンド１１が縫いつけられている。選択的に、アーム開放部分は曲げられ且つ接合して固定されてよい。
【００３８】
図３では、円形の編まれた管状体１２からいかにしてブラジャーが作成されるのかが示されている。円形の編まれた、即ち編製の管状体１２のおおよそ中央において、後にブラジャーのバンド部分２を形成する折り畳み部分１３が提供されている。
円形の編製管状体１２の下側部分１４から、カップ１８の背後の位置に折り重ねられる内カップ１５が形成される。下部分１４のうち内カップ１５として利用されない部分は切り離される。内カップ１５上に、止め金具（図示されていない）及び肩紐２２，２３に結合されることとなる二つの端部分１６が見られる。このことは一方または両方のカップ１８がもし引き降ろされたとしても、ブラジャー１が常に一緒に保持されていることを確実にする。
【００３９】
円形に編製された管状体１２の上側部分からは、背後部分（図示されていない）と、前部分と、カップ１８とサイド部分（図示されていない）とが形成される。二つのカップの間には中央部分１９がある。
【００４０】
ジグザグ線２０、２１はアーム開放部分のために開かれている領域を示している。部分２３と２２は、これらが切り取り線２４と２５で切断された際に、肩紐５として利用される。
【００４１】
切り取り線２４と２５に近接の肩紐２２と２３の部分は、後に内カップ１５の端部分１６に連結される止め金具（図示されていない）を有する部分となる。
【００４２】
他の実施形態において、肩紐は、内カップ１５が形成される布帛片の形状に大部分対応する中央部分１７の上部リムにトップ部分を編むことによって提供される。余分な布帛は除去され、肩紐は背後部分に固定される。この実施形態において、アーム開放部分と肩紐は、しかしながら、曲げられて接合されるかまたはバンドを縫合しなければならない。
【００４３】
図４は、バンド部分２と、引き降ろされた状態の左カップ３aと、まだその位置にあって肩紐５ｂに固定されている右カップ３ｂとを備えているブラジャー１の第一実施形態の正面図を示している。引き降ろされた状態の左カップ３a上に、受け部材である止め金具６aが見られる。カップ３ｂの頂部には止め金具部材７bに結合される止め金具部材６bが見られる。
【００４４】
ブラジャーの左側で見られるように、肩紐５aが、止め金具部材７aに連結され、止め金具部材７aは内カップ８aに連結され、内カップ８aは部分的なカップであり、乳房（図示されていない）の外側及び下で乳房（図示されていない）を支えている。理解されるように、授乳しようとする女性は簡単に止め金具６aまたは６ｂを緩めかつカップ３a及び/または３ｂを引き降ろすことができる。さらに、ここでは、肩紐５a及び５ｂによって一緒に保持され、かつ止め金具７a及び７ｂを通して内カップ８a及び８bに結合されているブラジャーのグリップを緩めることなく、同時に両方を緩めることが可能である。
【００４５】
図５には、畝模様のつけられたバンド部分２と、引き降ろされた状態の左カップ３aと、その位置のままで肩紐５ｂに結合されている右カップ３ｂとを備えた他の実施形態を見ることができる。右カップ３ｂの上縁に止め金具６ｂが設けられ、止め金具６ｂはフック部材７ｂに固定されている受け部材であり、フック部材７ｂは内カップ８bに肩紐５bを連結する。ブラジャー１の左側に見られるように、肩紐５aは止め金具７aに連結され、止め金具７aは内カップ８aの上部リムに連結され、内カップ８aはカップの一部分であって、その内側にかつ両乳房（図示されていない）の間で乳房（図示されていない）の下側から乳房（図示されていない）を支持する。引き下げられたカップ３aのところに、この場合は受け部材である止め金具部材６aが設けられている。
【００４６】
図６にはブラジャー１の三番目の実施形態が見られ、ブラジャー１は、畝模様をつけたバンド２と、引き下げられた状態のカップ３aと、その位置のままで肩紐５ｂに結合されている右カップ３ｂを備えている。カップ３bの上縁に受け部材６bが設けられ、受け部材６ｂは他方の止め金具部材７bに固定され、止め金具部材７ｂは内カップ３０に肩紐５ｂを連結している。
【００４７】
ブラジャー１の左側に見られるように、肩紐５aは、順次、内カップ３１に連結される止め金具部材７aに結合され、内カップ３０に対応する内カップ３１は、乳房をその外側で乳房の下側から支える部分３２と両乳房間に乳房の下側から支える部分３３の２部分にわかれている。引き下げられたカップ３a上にこの場合は受け部材である止め金具部材６aが設けられている。
【００４８】
図７には、畝模様がつけられたバンド２と、引き下げられた状態の左カップ３aと、その位置のままで肩紐５ｂに固定されている右カップ３ｂとを備えているブラジャー１の４番目の実施形態が見られる。右カップ３bの上縁に、フック部材７ｂに固定された受け部材としての止め金具６ｂが設けられ、フック部材７ｂは内カップ８ｂに肩紐５ｂを連結している。
【００４９】
ブラジャー１の左側に見られるように、肩紐５aは、順次、内カップ８aに結合された止め金具部材７aに結合されており、内カップ８aは完全なカップであり、乳首（図示されていない）を取り囲んだ穴４０を中央に有する。乳首のためのこの穴は、ブラジャー１が大きさの異なる乳房及び配置の異なる乳首を有する女性によって広範囲に使用されることができるように寸法が決められなければならない。引き下げられたカップ３a上にはこの場合は受け部材である止め金具部材６aが設けられている。
【００５０】
図８には畝模様をつけたバンドと、右カップ３ｂと引き下げられた状態の左カップ３aとを伴うブラジャー５０が見られる。中心部の中央部分４には中央紐５１が内側に設けられ、中央紐５１を横切って複数個所で一緒に縫合され、その縫い目５２がフック部材５３に固定できる複数の受け部材５６を形成している。
【００５１】
中央紐５１上の縫い目５２は、ブラジャーが使用中にしっかりと固定されることができるように、肩紐５aと紐５１がその長さ方向において変位できることを意味している。
【００５２】
肩紐５aは、順次、中央紐５１の外側の受け部材５６に連結されるフック部材５３aに連結される。このことは、肩紐５aが制御され、ブラジャー５０は、例えカップ３aが引き降ろされても、使用されてない乳房上に支持効果を有することを意味している。
【００５３】
カップを引き降ろすために、カップ３aはフック部材５３aとフック部材５３aに固定された中央紐５１から解放されなければならない。乳房を変更するためには、中央紐５１はフック部材５３aから解放されなければならず、かつ、カップ３aの受け部材（図示されず）はフック部材５３aに固定されなければならず、カップ３ｂの受け部材５４ｂはフック部材５３ｂから解放され、中央紐５１がフック部材５３ｂに固定されなければならない。
【００５４】
ブラジャー５０が授乳用ブラジャーとして使用されないときは、中央紐５１は中央部分４の背後部分から垂下している。中央紐５１は、縫い目或いは、例えばボタン、刺繍、ブローチのような飾り要素により、中央部分４に固定されることができる。
【００５５】
図９には他のタイプの止め金具６２を伴う他の止め金具部材６０が示されており、止め金具６２は、一緒に押されたときに相互に滑動して係合する止め金具６２aと止め金具６２ｂとして提供される二つの部分のバックルを備えている。止め金具６２ｂのトップ側には、押されたときに、係合を解除して二つの止め金具が分離させるリリーサー（ｒｅｌｅａｓｅｒ）６３が配置されている。止め金具６２aは受け部材６１によってまたは直接に肩紐５及び内カップ８に結合され、一方で、止め金具６２ｂはカップ３の上縁に連結される。
【００５６】
図１０には第一止め金具７１及び第二止め金具７２を伴う止め金具装置７０が示されている。止め金具７１は、バックプレートと、フックと、クランプ７１が内カップ８と肩紐５に連結される二つの穴を備えたフック部材である。止め金具７２は、止め金具７１のフックとの係合に適合する受け部材である。止め金具７２はカップ３の上縁に連結される。
【００５７】
図１１において、畝模様バント２、右カップ３ｂおよび左カップ３ａが共に引き下ろされた前部８１、および中心部分４１を有するブラジャー８０が示されている。前部分８１のカップ３ａおよび３ｂとバンド２との間に縁８２があり、縁８２上に内カップ８の下縁が固定できる。内カップ８は止め金具７により肩紐５へ連結されている。カップ３ａおよび３ｂの頂部に止め金具６が設けられ、止め金具６は止め金具７との係合により内カップ８の前で前部分８１を上昇させて乳房の被覆を可能にする。
【００５８】
図１２、１３および１４は内カップ８と、バンド２且つ／又はブラジャーのサイド部分８３との結合方法を示す。
【００５９】
図１２において、内カップ８の下縁は、縫い目８２ａにより前部分８１とバンド２との間に固定されている。
【００６０】
図１３において、内カップ８の下縁は複数の縫い目８４により前部分８１とバンド２との間に部分的に固定されている。
【００６１】
図１４において、内カップ８の下縁は前部分８１とバンド２との中間部分４の下端で縫い目８６により固定されかつブラジャーのサイド部分８３へ縫い目８５により固定されている。
【００６２】
図面に示されている止め金具装置は、ビジネスにおいて授乳用ブラジャーとして一般に使用されている普通に知られている止め金具装置である。等しく使用に便利である他の類似の止め金具装置もある。本発明は、図面に示された適用及び上述の実施形態に限定されない。他の、ブラジャーの形態、ブラジャーの内層及び止め金具装置を備えた他の実施形態が本発明の請求の範囲に記載された範囲内で可能である。
【図面の簡単な説明】
【００６３】
【図１】本発明のブラジャーの正面図である。
【図２】本発明のブラジャーの背面図である。
【図３】縫い目のない円形の編まれた管状体の図である。
【図４】本発明のブラジャーにおける一番目の実施形態の正面図である。
【図５】本発明のブラジャーにおける二番目の実施形態の正面図である。
【図６】本発明のブラジャーにおける三番目の実施形態の正面図である。
【図７】本発明のブラジャーにおける四番目の実施形態の正面図である。
【図８】本発明のブラジャーにおける五番目の実施形態の正面図である。
【図９】本発明における代替可能な止め金具の詳細図である。
【図１０】本発明における二番目の代替可能な止め金具の詳細図である。
【図１１】本発明によるブラジャーの六番目の実施形態の正面図である。
【図１２】本発明による縫目付きブラジャーの正面図である。
【図１３】本発明による他の縫目付きブラジャーの正面図である。
【図１４】本発明による他の縫目付きブラジャーの正面図である。